(57)【特許請求の範囲】
【請求項１】
ディスクを載置した複数のキャリッジがストック位置にあって、その中の選択された１つがプレイ位置に移動されて、前記ストック位置にあるディスクとオーバーラップしてプレイすると共に、前記プレイ位置ではターンテーブル及びピックアップが前記キャリッジの空所を下から通り抜けて当該キャリッジからディスクを持ち上げるディスクチェンジャ装置において、前記ストック位置にある全てのディスクを水平に配置された前記キャリッジ内に前記プレイ位置のディスクとオーバーラップする側が前記プレイ位置のディスクとオーバーラップしない側よりも高くなる方向に傾斜させて収容することで、前記プレイしているディスクに対してその上側のディスクのオーバーラップする側を離すと共に、前記プレイ中のディスクとその上側のディスクとを当該上側のディスクを載置するキャリッジの前記空所を通して直接対向させてこれらのディスクの間に前記プレイ中のディスクの回転姿勢がぶれても干渉を回避する間隔を確保し、前記キャリッジを前記プレイ位置まで水平に引き出し、更に、前記プレイ位置ではディスクを水平にすることにより、前記ディスクを前記キャリッジ内に水平に収容する場合よりも前記キャリッジの配置ピッチを小さくしたことを特徴とするキャリッジの構造。
【請求項２】
前記ディスクの平面視において、前記ストック位置のディスクの中心と前記プレイしているディスクの中心を結ぶ直線に対して前記プレイしているディスクの外周縁が交差する点をオーバーラップ交点とし、前記ディスクの前記オーバーラップ交点よりも前記ストック位置寄り且つ前記ストック位置のディスクの中心よりも前記プレイ位置寄りの部位を支持するディスク傾斜用支持部を形成すると共に、前記ディスクの前記ディスク傾斜用支持部よりも前記ストック位置側の部位を前記ディスク傾斜用支持部よりも低い位置で支持するボスを形成したことを特徴とする請求項１記載のキャリッジの構造。
【発明の詳細な説明】
【０００１】
【発明の属する技術分野】
本発明は、キャリッジの構造に関するものである。更に詳述すると、本発明はＣＤプレイヤやＤＶＤプレイヤのディスクチェンジャ等に設けられているキャリッジの構造に関するものである。
【０００２】
【従来の技術】
ＣＤやＤＶＤ等のプレイヤとして、複数のディスクをストックしておき、その中から１枚のディスクを選択して再生（プレイ）するものがある。かかるタイプのプレイヤは複数枚のディスクを同時にストックできるディスクチェンジャ装置を有している。ディスクチェンジャ装置はディスクを載せるキャリッジを複数有しており、ディスクを再生する場合には、再生したいディスクが載せられているキャリッジをストック位置からプレイ位置に搬送する。
【０００３】
ストック位置では、ディスクを載せたキャリッジを上下に複数枚並べて配置している。各キャリッジは水平に配置されており、そのまま真っ直ぐ水平に引き出されてプレイ位置に搬送される。ディスクはキャリッジに対して水平に載せられている。
【０００４】
プレイ位置ではターンテーブルがキャリッジに載っているディスクを下から支えながら持ち上げ、上方に配置されているクランパとの間に挟み付ける。ターンテーブルとクランパとでディスクを挟持した後、ターンテーブルがディスクを回転させることでディスクの再生が開始される。
【０００５】
図７に示すように、プレイ位置１０１では、ディスク１０２の一部をストック位置１０３のディスク１０２にオーバーラップさせている。再生するディスク１０２をストック位置１０３のディスク１０２間から完全に引き出さずにその一部をオーバーラップさせることで、ストック位置１０３とプレイ位置１０１の間隔を短縮し、ディスクチェンジャ装置の奥行きを短くしている。
【０００６】
プレイ中のディスク１０２の回転姿勢はぶれることがあり、その上下の部材との間に十分な間隔Ｇａ，Ｇｂを設けておく必要がある。プレイ中のディスク１０２は図示しないターンテーブルによって持ち上げられており、載っていたキャリッジ１０４との間に、即ちプレイ中のディスク１０２の下方に十分な間隔Ｇｂが設けられる。また、ストック位置１０３では各段のキャリッジ１０４の配置ピッチＰをある程度大きく設計し、プレイ中のディスク１０２とその上の段のキャリッジ１０４に載せられているディスク１０２との間に、即ちプレイ中のディスク１０２の上方に十分な間隔Ｇａを設けている。つまり、各段のキャリッジ１０４を上下に十分に離して配置することで上下のディスク１０２の間隔を広げ、プレイ中のディスク１０２とその上の段のディスク１０２との干渉を回避している。
【０００７】
【発明が解決しようとする課題】
しかしながら、キャリッジ１０４を上下に離して配置するため、キャリッジ１０４を収容するドロワーの上下方向の寸法が大型化してしまう。特に、ＣＤプレイヤではドロワーの上下方向の寸法の大型化が顕著である。即ち、ＣＤプレイヤでは、大小２種類のディスク（直径１２ｃｍのディスクと直径８ｃｍのディスク）１０２を再生する必要があるため、キャリッジ１０４に２段の凹部、具体的には大径ディスク用の凹部の中に更に小径ディスク用の凹部を形成する必要がある。このため、キャリッジ１０４の上下方向全体の厚さが厚くなり、かかるキャリッジ１０４を上下に複数枚重ねて収容するドロワーの上下方向の寸法の大型化が顕著になる。
【０００８】
本発明は、プレイ中のディスクとの干渉を回避しつつ、ディスク間隔を詰めてストックすることが可能なキャリッジの構造を提供することを目的とする。
【０００９】
【課題を解決するための手段】
かかる目的を達成するために請求項１記載の発明は、ディスクを載置した複数のキャリッジがストック位置にあって、その中の選択された１つがプレイ位置に移動されて、ストック位置にあるディスクとオーバーラップしてプレイすると共に、プレイ位置ではターンテーブル及びピックアップがキャリッジの空所を下から通り抜けて当該キャリッジからディスクを持ち上げるディスクチェンジャ装置において、ストック位置にある全てのディスクを水平に配置されたキャリッジ内にプレイ位置のディスクとオーバーラップする側がプレイ位置のディスクとオーバーラップしない側よりも高くなる方向に傾斜させて収容することで、プレイしているディスクに対してその上側のディスクのオーバーラップする側を離すと共に、プレイ中のディスクとその上側のディスクとを当該上側のディスクを載置するキャリッジの空所を通して直接対向させてこれらのディスクの間にプレイ中のディスクの回転姿勢がぶれても干渉を回避する間隔を確保し、キャリッジをプレイ位置まで水平に引き出し、更に、プレイ位置ではディスクを水平にすることにより、ディスクをキャリッジ内に水平に収容する場合よりもキャリッジの配置ピッチを小さくしたものである。
【００１０】
いま、プレイ中のディスクと、これにオーバーラップする一つ上の段のストック位置のディスク（以下、上側ディスクという）に着目して説明する。ストック位置においてディスクが傾斜していると、プレイ中のディスクに対し、オーバーラップ部分の間隔が広がる。逆に、オーバーラップ部分の間隔を一定に保持すれば、その分だけ傾斜させた上側ディスクを全体的に下げて下の段に近づけることができる。即ち、プレイ中のディスクと上側ディスクとの間に十分なスペースを確保したまま、キャリッジの間隔をつめて配置することができる。
【００１１】
また、請求項２記載のキャリッジの構造は、ディスクの平面視において、ストック位置のディスクの中心とプレイしているディスクの中心を結ぶ直線に対してプレイしているディスクの外周縁が交差する点をオーバーラップ交点とし、ディスクのオーバーラップ交点よりもストック位置寄り且つストック位置のディスクの中心よりもプレイ位置寄りの部位を支持するディスク傾斜用支持部を形成すると共に、ディスクのディスク傾斜用支持部よりもストック位置側の部位をディスク傾斜用支持部よりも低い位置で支持するボスを形成したものである。
【００１２】
仮に、上側ディスクを載せたキャリッジがこの上側ディスクを、その中心よりもプレイ位置から離れた方向の部位（プレイ位置とは反対側の部位）で支持すると、この上側ディスクはプレイ中のディスクとのオーバーラップ部分を下げるように傾斜する。このため、上側ディスクのオーバーラップ部分をプレイ中のディスクから離れる方向に傾斜させることができない。
【００１３】
また、仮に、上側ディスクを載せたキャリッジがこの上側ディスクを、そのオーバーラップ交点よりもプレイ位置寄りの部位で支持すると、この上側ディスクのオーバーラップ部分が持ち上げられることになる。即ち、上側ディスクを傾斜させることはできるが、この場合には上側ディスクを全体的に下げて下の段に近づけることはできない。
【００１４】
本発明では、上側ディスクの中心よりもプレイ位置寄りであって、しかも、オーバーラップ交点よりもストック位置寄りの部位を支持するディスク傾斜用支持部をキャリッジに形成し、このディスク傾斜用支持部によって上側ディスクを支持して傾斜させているので、上側ディスクを、そのオーバーラップ部分とは反対側の部分を下げるようにして傾斜させることができる。このため、オーバーラップ部分の間隔を短縮することなく、上側ディスクを全体的に下げて下の段に近づけて配置することができる。
【００１５】
【発明の実施の形態】
以下、本発明の構成を図面に示す最良の形態に基づいて詳細に説明する。
【００１６】
図１〜図６に、本発明を適用したキャリッジの構造の実施形態の一例を示す。このキャリッジの構造は、ディスク１を載置した複数のキャリッジ２がストック位置３にあって、その中の選択された１つがプレイ位置４に移動されて、ストック位置３にあるディスク１とオーバーラップしてプレイすると共に、プレイ位置ではターンテーブル及びピックアップがキャリッジの空所を下から通り抜けて当該キャリッジからディスクを持ち上げるディスクチェンジャ装置５において、ストック位置３にある全てのディスク１を水平に配置されたキャリッジ２内にプレイ位置４のディスク１とオーバーラップする側がプレイ位置４のディスク１とオーバーラップしない側よりも高くなる方向に傾斜させて収容することで、プレイしているディスク１に対してその上側のディスク１のオーバーラップする側を離すと共に、プレイ中のディスク１とその上側のディスク１とを当該上側のディスク１を載置するキャリッジ２の空所を通して直接対向させてこれらのディスク１の間にプレイ中のディスク１の回転姿勢がぶれても干渉を回避する間隔Ｇａを確保し、キャリッジ２をプレイ位置４まで水平に引き出し、更に、プレイ位置４ではディスク１を水平にすることにより、ディスク１をキャリッジ２内に水平に収容する場合よりもキャリッジ２の配置ピッチＰを小さくしたものである。
【００１７】
このディスクチェンジャ装置５は、ドロワー６内に複数のキャリッジ２を有しており、各キャリッジ２にディスク１を１枚ずつ載せることで複数枚のディスク１をストックすることができる。各ディスク１は、ストック位置３にストックされている。そして、ディスク１をプレイ（再生）する場合には、プレイするディスク１を載せたキャリッジ２をストック位置３からプレイ位置４に搬送する。また、ディスク１をイジェクトする場合には、ドロワー６ごとキャリッジ２をイジェクト位置７に搬送する。本実施形態では、キャリッジ２は３枚備えられている。ただし、キャリッジ２の枚数は３枚に限るものではないことは勿論である。
【００１８】
図２に、キャリッジ２を示す。キャリッジ２には、例えば大径ディスク（直径１２ｃｍのコンパクトディスク）用の凹部８の中に更に小径ディスク（直径８ｃｍのコンパクトディスク）用の凹部９が形成されている。大径ディスク用凹部８の底面は、水平面８ａと傾斜面８ｂより構成されている。傾斜面８ｂは水平面８ａに対して例えば３．８５度傾斜している。また、小径ディスク用凹部９の底面には、第１の傾斜面９ａと第２の傾斜面９ｂが形成されている。第１の傾斜面９ａは水平面８ａに対して例えば１．２度傾斜している。第２の傾斜面９ｂは水平面８ａに対して例えば６．６度傾斜している。また、キャリッジ２には、図示しないターンテーブルやピックアップ等の再生装置を通過させる窓１０が形成されている。
【００１９】
キャリッジ２には、載置するディスク１を傾斜させるディスク傾斜用支持部１１が形成されている。ディスク傾斜用支持部１１は、図３に示すように、ディスク１の平面視において、ストック位置３のディスク１の中心Ｏａとプレイしているディスク１の中心Ｏｂを結ぶ直線Ｌに対してプレイしているディスク１の外周縁が交差する点をオーバーラップ交点Ｏｐとし、このオーバーラップ交点Ｏｐよりもストック位置３寄り且つストック位置３のディスク１の中心Ｏａよりもプレイ位置４寄りの部位（領域）Ａ１に対向して形成されている。本実施形態では、ディスク傾斜用支持部１１として、大径ディスク用のディスク傾斜用支持部１１と小径ディスク用のディスク傾斜用支持部１１をそれぞれ設けている。また、各ディスク傾斜用支持部１１は、直線Ｌを挟んで両側に設けられている。
【００２０】
なお、キャリッジ２の大径ディスク用凹部８の底の周縁には複数のボス１２が形成されている。各ボス１２の高さは、ディスク傾斜用支持部１１に近いものほど高くなっている。ディスク傾斜用支持部１１と各ボス１２によって大径ディスク１を支持することで、この大径ディスク１を大径ディスク用凹部８の底から浮かせることができ、ディスク１のすり傷等を防止している。
【００２１】
かかる構造のキャリッジ２では、上下段の配置ピッチＰを短くすることができる。図４に、２段目（下から２番目）のキャリッジ２のディスク１をプレイしている様子を示す。２段目のキャリッジ２はストック位置３からプレイ位置４に搬送されている。また、２段目のディスク１は図示しないターンテーブルによって持ち上げられている。なお、説明を簡単にするために、図４では小径ディスク用凹部９の記載を省略している。
【００２２】
プレイ中のディスク（２段目のディスク）１と、これにオーバーラップする一つ上の段（最も上の段）のストック位置３のディスク（３段目のディスク。以下、上側ディスクという）１に着目して説明する。キャリッジ２にディスク１を載せると、ディスク傾斜用支持部１１がディスク１を傾斜させる。いま、図５に示すように、オーバーラップ交点Ｏｐとディスク１の平面視において距離Ｘｏｐだけ離れた位置にディスク傾斜用支持部１１が設けられており、このディスク傾斜用支持部１１によって上側ディスク１が角度θだけの傾斜すると、オーバーラップ交点Ｏｐでは上側ディスク１とプレイ中のディスク１との間隔Ｇａが距離Ｙだけ長くなる。
【００２３】
したがって、上側ディスク１を角度θだけ傾斜させた場合には、上側ディスク１を全体的に距離Ｙだけ下げても、即ち３段目のキャリッジ２を距離Ｙだけ２段目のキャリッジ２に近づけても、オーバーラップ交点Ｏｐにおける３段目のディスク（上側ディスク）１と２段目のディスク（プレイ中のディスク）１との間隔Ｇａは変わらないことになる。
【００２４】
このことは、２段目と１段目のキャリッジ２についても同様である。したがって、各段のキャリッジ２を、その間隔を詰めて（配置ピッチＰを小さくして）配置することができる。このため、キャリッジ２を上下に重ねて収容するドロワー６の高さ方向の寸法を短縮することができ、ディスクチェンジャ装置５を小型化することができる。また、ドロワー６の高さ方向の寸法を短縮することができるので、ドロワー６の高さ方向の寸法を短くしたいとのディスクチェンジャ装置５のデザイン上の要請にこたえることができる。
【００２５】
ディスク傾斜用支持部１１は上側ディスク１をその中心Ｏａよりもプレイ位置４寄りの部位で支持するので、上側ディスク１はオーバーラップする側を高くするように傾斜する。また、ディスク傾斜用支持部１１は上側ディスク１をそのオーバーラップ交点Ｏｐよりもストック位置３寄りの部位で支持するので、オーバーラップする側を高く傾斜させた状態で上側ディスク１全体を下げることができる。即ち、各段のキャリッジ２をその間隔を詰めて配置することが可能になる。
【００２６】
また、図６に示すように、小径ディスク１ｓは、オーバーラップ交点Ｏｐにおいてプレイ中のディスク１との間隔Ｇａが大径ディスク１ｂのそれと等しくなるように傾斜される。大径ディスク１ｂについてオーバーラップ交点Ｏｐにおける間隔Ｇａは最適値に設計されているので、小径ディスク１ｓについてもこの間隔Ｇａが最適値になる。特に大小２種類のディスクを取り扱うキャリッジは厚くなる傾向にあるが、本発明のキャリッジ２はその配置ピッチを小さくできることは上述の通りである。例えば、大小２種類のディスクを取り扱うキャリッジ即ち２種類の凹部８，９を有するキャリッジ２の配置ピッチを、ディスクを水平に載置するキャリッジであって１種類のディスクしか取り扱うことができないものとほぼ同じ配置ピッチにすることができる。
【００２７】
なお、プレイ中のディスク１の下側のディスク（１段目のディスク）１も同様に傾斜して配置されることになるが、プレイ中のディスク１はキャリッジ２から持ち上げられており、また、ストック位置３のディスク１を傾斜させるといってもその上の段のキャリッジ２に当たるほどには傾斜させることはないので、下側のディスク１がプレイ中のディスク１に干渉することはない。
【００２８】
なお、上述の形態は本発明の好適な形態の一例ではあるがこれに限定されるものではなく本発明の要旨を逸脱しない範囲において種々変形実施可能である。例えば、上述の説明では、大小２種類のディスク１を取り扱うキャリッジ２を例にしていたが、１種類のディスク１を取り扱うキャリッジ２でも良いことは勿論である。
【００２９】
【発明の効果】
以上説明したように請求項１記載のキャリッジの構造では、ストック位置にある全てのディスクを水平に配置されたキャリッジ内にプレイ位置のディスクとオーバーラップする側がプレイ位置のディスクとオーバーラップしない側よりも高くなる方向に傾斜させて収容することで、プレイしているディスクに対してその上側のディスクのオーバーラップする側を離すと共に、プレイ中のディスクとその上側のディスクとを当該上側のディスクを載置するキャリッジの空所を通して直接対向させてこれらのディスクの間にプレイ中のディスクの回転姿勢がぶれても干渉を回避する間隔を確保し、キャリッジをプレイ位置まで水平に引き出し、更に、プレイ位置ではディスクを水平にするようにしているので、キャリッジの配置ピッチを小さくすることができる。このため、キャリッジを収容するドロワーの高さ方向の寸法を短く、即ちドロワーを薄くすることができ、ディスクチェンジャ装置を小型化することができる。また、ディスクイジェクト時に突出するドロワーを薄くしたいとのディスクチェンジャ装置のデザイン上の要請に沿うこともできる。
【００３０】
また、請求項２記載のキャリッジの構造では、ディスクの平面視において、ストック位置のディスクの中心とプレイしているディスクの中心を結ぶ直線に対してプレイしているディスクの外周縁が交差する点をオーバーラップ交点とし、ディスクのオーバーラップ交点よりもストック位置寄り且つストック位置のディスクの中心よりもプレイ位置寄りの部位を支持するディスク傾斜用支持部を形成すると共に、ディスクのディスク傾斜用支持部よりもストック位置側の部位をディスク傾斜用支持部よりも低い位置で支持するボスを形成しているので、ディスクをキャリッジに載せるだけでディスクを傾斜させることができる。
【図面の簡単な説明】
【図１】本発明を適用したキャリッジを備えるディスクチェンジャ装置を示す概略構成図である。
【図２】本発明を適用したキャリッジの構造の実施形態の一例を示し、そのキャリッジの平面図である。
【図３】ディスク傾斜用支持部の位置を説明するための図である。
【図４】本発明を適用したキャリッジの配置を示す概略構成図である。
【図５】ディスクを傾斜させることでオーバーラップ交点におけるディスク間の間隔が広がる様子を説明する図である。
【図６】大径ディスクと小径ディスクのオーバーラップ交点におけるディスク間の間隔を等しくする様子を示す概略構成図である。
【図７】従来のキャリッジの配置を示す概略構成図である。
【符号の説明】
１  ディスク
２  キャリッジ
３  ストック位置
４  プレイ位置
１１  ディスク傾斜用支持部
Ｌ  直線
Ｏａ  ストック位置のディスクの中心
Ｏｂ  プレイしているディスクの中心
Ｏｐ  オーバーラップ交点
【図１】
0004317671.tif 000002
【図２】
0004317671.tif 000003
【図３】
0004317671.tif 000004
【図４】
0004317671.tif 000005
【図５】
0004317671.tif 000006
【図６】
0004317671.tif 000007
【図７】
0004317671.tif 000008